(57)【要約】      （修正有）【課題】精度よく水道水の水温検知ができる洗濯機を提供する。【解決手段】衣類を収容する洗濯槽と、洗濯槽を収容する水槽と、水槽に水を供給する給水部４１と、を備え、給水部は、給水弁２８と、水槽の上方に位置して水を供給する給水口４３と、給水弁２８から給水口４３へ水を導き、給水経路入口側の断面積が給水口側の通過断面積よりも小さくなるよう構成された給水経路と、水温を検知する温度検知部３３と、を有し、温度検知部３３は、給水経路の断面積が小さい給水経路入口側に設けられるよう構成する。【選択図】図３
2014210065.tif 000002
【特許請求の範囲】
【請求項１】
衣類を収容する洗濯槽と、
前記洗濯槽を収容する水槽と、
前記水槽に水を供給する給水部と、を備え、
前記給水部は、
給水弁と、
前記水槽の上方に位置して水を供給する給水口と、
前記給水弁から前記給水口へ水を導き、給水経路入口側の断面積が給水口側の通過断面積よりも小さくなるよう構成された給水経路と、
水温を検知する温度検知部と、を有し、
前記温度検知部は、前記給水経路の断面積が小さい給水経路入口側に設けられた洗濯機。
【請求項２】
前記給水部は、２つの前記給水経路入口を有し、
前記給水経路は、給水経路入口側に、通水方向に沿って前記給水経路を分割する壁面部が設けられ、
２つの前記給水経路入口は前記壁面部を挟んで略対称に設けられ、
前記温度検知部は、前記壁面部に設けられた請求項１に記載の洗濯機。
【請求項３】
前記温度検知部は、前記壁面部に形成された凹部に挿入されて、前記壁面部と一体に構成された請求項２に記載の洗濯機。
【発明の詳細な説明】
【技術分野】
【０００１】
本発明は、主として水道水を注水する給水弁と前記給水弁を有する注水ケースからなる給水部と温度検知部を有する洗濯機に関する。
【背景技術】
【０００２】
従来の洗濯機は、給水弁からの水が注水ケースを介して洗濯槽内に供給されている（例えば、特許文献１参照）。
【０００３】
図６は、従来の洗濯機の側断面図である。図６において、水槽１０１は、洗濯槽１０３を内包し、吊り棒１０４によって外枠１０５に吊り下げられている。洗濯槽１０３は、底部にパルセータ１０２を回転自在に配設している。外枠１０５の上部には、外装体１０６が装着され、外装体１０６の略中央部に形成された布投入口１０７は、蓋１０８で覆われる。布投入口１０７の後部側には注水装置１１０が設けられる。注水装置１１０は、電磁給水弁１０９と洗剤ケース１１１と外装体１０６を有している。注水装置１１０により洗濯槽３内に給水がなされる。洗濯槽１０３内への給水は、できる限り洗濯物に対して均一に給水がされるように、給水口は広くなるよう構成される。
【０００４】
上記構成において、洗濯行程で、洗剤ケース１１１を倒して、その上に洗剤を載せ、洗濯が開始し、電磁給水弁１０９から給水を始めると、水は注水装置１１０の洗剤ケース１１１上を通過し、給水口を介して洗濯槽１０３に投入する。所定の水位に達するとパルセータ１０２を駆動して洗濯する。
【０００５】
また、給水装置に温度検知部を設けて、給水温度を検知するものが知られている（例えば、特許文献２参照）。
【先行技術文献】
【特許文献】
【０００６】
【特許文献１】特開平１０−１４６４９３号公報
【特許文献２】特開平２−３０５５９４号公報
【発明の概要】
【発明が解決しようとする課題】
【０００７】
しかしながら、前記従来の構成では、水圧が低く水量が少ない場合には、温度検知部が水温を検知しにくく、精度が悪いという課題を有していた。
【０００８】
本発明は、前記従来の課題を解決するもので、精度よく水道水の水温検知ができる洗濯機を提供することを目的とする。
【課題を解決するための手段】
【０００９】
前記従来の課題を解決するために、本発明の洗濯機は、衣類を収容する洗濯槽と、前記洗濯槽を収容する水槽と、前記水槽に水を供給する給水部と、を備える。前記給水部は、給水弁と、前記水槽の上方に位置して水を供給する給水口と、前記給水弁から前記給水口へ水を導き、給水経路入口側の断面積が給水口側の通過断面積よりも小さくなるよう構成された給水経路と、水温を検知する温度検知部と、を有し、前記温度検知部は、前記給水経路の断面積が小さい給水経路入口側に設けられたものである。
【００１０】
これにより、水圧が低い場合でも、断面積が小さい場所に設けられた温度検知部により
水道水の水温を精度よく検知できる。また、給水経路の途中で通路断面積が大きくなるため、水槽内への水の供給が偏ることなく均一に給水することができる。
【発明の効果】
【００１１】
本発明の洗濯機は、水温の検知を精度よくすることができる。
【図面の簡単な説明】
【００１２】
【図１】本発明の実施の形態１における洗濯機の縦断面図
【図２】同洗濯機の要部断面図
【図３】同洗濯機の要部斜視図
【図４】同洗濯機の要部平面図
【図５】同洗濯機の拡大平断面図
【図６】従来の洗濯機の側断面図
【発明を実施するための形態】
【００１３】
本発明の洗濯機は、衣類を収容する洗濯槽と、前記洗濯槽を収容する水槽と、前記水槽に水を供給する給水部と、を備え、前記給水部は、給水弁と、前記水槽の上方に位置して水を供給する給水口と、前記給水弁から前記給水口へ水を導き、給水経路入口側の断面積が給水口側の通過断面積よりも小さくなるよう構成された給水経路と、水温を検知する温度検知部と、を有し、前記温度検知部は、前記給水経路の断面積が小さい給水経路入口側に設けられたものである。
【００１４】
これにより、水圧が低い場合でも、断面積が小さい場所に設けられた温度検知部により水道水の水温を精度よく検知できる。また、給水経路の途中で通路断面積が大きくなるため、水槽内への水の供給が偏ることなく均一に給水することができる。
【００１５】
上記構成において、前記給水部は、２つの前記給水経路入口を有し、前記給水経路は、給水経路入口側に、通水方向に沿って前記給水経路を分割する壁面部が設けられ、２つの前記給水経路入口は前記壁面部を挟んで略対称に設けられ、前記温度検知手段は、前記壁面部に設けられてもよい。
【００１６】
これにより、給水経路入口が２つある場合でも、どちらの給水経路からの水温も精度よく検知することができる。
【００１７】
上記構成において、前記温度検知部は、前記壁面部に形成された凹部に挿入されて、前記壁面部と一体に構成されてもよい。
【００１８】
これにより、温度検知部の水密構成を廃止でき、水漏れ等のなく信頼性の高く、安価で組立性に優れた洗濯機を提供することができる。
【００１９】
以下、本発明の実施の形態について、図面を参照しながら説明する。また、この実施の形態によって本発明が限定されるものではない。
【００２０】
（実施の形態）
図１は、本発明の実施の形態１における洗濯機の縦断面図、図２は、本発明の実施の形態１における洗濯機の要部断面図、図３は、本発明の実施の形態１における洗濯機の要部斜視図、図４は、本発明の実施の形態１における洗濯機の要部平面図、図５は、本発明の実施の形態１における洗濯機の拡大平断面図である。
【００２１】
図１において、洗濯機の筐体１１は、サスペンション１２により水槽１３を内部に懸垂
防振支持される。洗濯脱水軸１４は中空で２軸となるよう構成される。洗濯物を収容する洗濯槽１５は、側壁に多数の脱水孔１６を有するとともに、内周側の上部に流体バランサ１７を有する。洗濯槽１５の中央底部には、パルセータ１８が配設される。伝達機構部１９は内部に洗濯時の減速ギア（図示せず）および洗濯脱水軸１４の切り換えクラッチ（図示せず）、脱水時に洗濯槽１５を停止するためのブレーキ（図示せず）を内蔵している。モータ２０は水槽１３の底部に取り付けられ、モータ側プーリ２１およびメカ側プーリ２２は、それぞれベルト２３を介してモータ２０の動力を洗濯脱水軸１４に伝達する。
【００２２】
筐体１１の上部には、上部枠体２４が配置される。上部枠体２４の略中央部には、洗濯槽１５と外部とを連通し洗濯物を出し入れできる洗濯物投入取出口２５が形成される。洗濯物投入取出口２５は、蓋体２６にて開閉自在に覆われる。上部枠体２４の前方側の内部には、モータ２０等の電装部を制御する制御装置２７が配置される。洗濯物投入取出口２５を挟んで後方側の内部には、給水部４１が配設される。
【００２３】
給水部４１は、電磁力により開閉可能な給水弁２８と、給水経路３７と、給水口４３とを有する。給水経路３７および給水口４３は、注水ケース３０により構成される。給水経路３７と給水弁２８をつなぐ導水路４５は、パッキン２９を介して給水弁２８と水密保持される。
【００２４】
給水部４１の構成について、図２から図５を用いて説明する。
【００２５】
給水経路３７は、給水口４３から後方に延伸するように構成される。給水経路３７には導水路４５と連通する給水入口３１（給水経路入口）が設けられる。給水弁２８から給水入口３１までの導水路４５は、給水経路３７に略直交するように構成される。給水経路３７の略左右対称となる位置には、壁面部３２が設けられる。壁面部３２を軸として挟むように対称に給水入口３１が２系統設けられる（給水入口３１ａ、３１ｂ）。壁面部３２は、給水入口３１ａ、３１ｂからの水が相手の開口に干渉しないように給水経路３７内を区切る。また、壁面部３２は、給水経路３７の前後方向のうち、給水入口３１側のみに設けられており、途中で給水経路が合流するよう構成される。すなわち、給水口４３側には壁面部３２は設けられていない。
【００２６】
これにより、一方の給水入口３１を通じて給水された水が壁面部３２に当たり、方向を略９０度変更されて給水経路３７を通過する。これにより、水道水圧が高く、勢いがありすぎるような場合にも、通水方向が壁面部３２にて変更される。これにより、流量が高すぎて給水口４３から使用者に水がかかってしまうことを防ぐことができる。
【００２７】
さらに、壁面部３２には、その後方側に温度検知部３３を挿入する凹部４２が設けられる。凹部４２には、温度検知部３３が挿入され、給水部４１の水温を検知する。凹部４２の肉厚は１ｍｍ程度である。以上の構成により、給水された水が壁面部３２に当たるとともに温度検知部３３にも当たり、壁面部３２を伝って水が流れていく。よって、水道水圧が低く、給水量が少ない場合にも、断面積が小さい給水入口３１側に設けられた温度検知部３３により、確実に給水部４１にて水温を検知することができる。また、給水経路の途中で通路断面積が大きくなるため、水槽内への水の供給が偏ることなく均一に給水することができる。
【００２８】
また、壁面部３２に一体に凹部４２を設けて温度検知することにより、２方向からの給水にも対応して温度検知することができる。このため、簡単な構成で温度検知精度を向上させることができる。
【００２９】
温度検知部３３はリード線３４により電気的に前記制御装置２７に接続され、この制御
装置２７に内蔵されたマイコン等により前記温度検知部３３の信号を処理するようにしている。リード線３４はスナップピン３５により注水ケース３０に固定される。リード線３４は上部枠体２４の側面内を通過し、上部枠体２４の前面に収容された制御装置２７まで連通する。
【００３０】
温度検知部３３は、注水ケース３０の壁面部３２に設けられる。さらに、温度検知部３３はリード線３４により電気的に制御装置２７に接続され、リード線３４に設けられたスナップピン３５により注水ケース３０に固定される。リード線３４は、上部枠体２４の側面内を通過し、上部枠体２４の前面に収容された制御装置２７まで配設される。これにより、リード線３４の長さを短くでき、固定部での配線処理やフックへの引っ掛け作業程度の簡単な作業で組み立てができ、安価で組立性に優れたものとできる。
【００３１】
以上の構成により、給水弁２８からの水は、導水路４５、給水入口３１から給水経路３７に入り、温度検知部３３および壁面部３２に当たる。その後、通水方向を略９０度変えて給水口４３から洗濯槽１５内に供給される。
【００３２】
以上のように構成した洗濯機について、その動作、作用を説明する。
【００３３】
使用者は洗濯槽１５に所定量の粉末洗剤を投入した後、上部枠体２４の前方に設けられたスタートスイッチをＯＮする。制御装置２７により、給水弁２８が開き、給水部４１の給水経路３７に水が流れ込む。
【００３４】
給水経路３７に流れ込んだ水は、注水ケース３０に設けられた壁面部３２の凹部４２の外周面を覆うように充填される。この凹部４２の肉厚は１ｍｍ程度と薄くしているため、この温度検知部３３への熱伝達が速やかに行われる。これにより、注水の温度がすばやく精度よく検知される。また、温度検知部３３は注水ケース３０の壁面部３２に設けられた凹部に挿入することにより、複雑で信頼性の重要な水密的構成を削除でき、水漏れの発生を防止でき、安価で組立性に優れたものとできる。
【００３５】
検知された水温信号はリード線３４により制御装置２７に伝達され、制御装置２７に内蔵されたマイコン等により温度が高い場合は洗濯時間を短く、温度が低い場合は洗濯時間を長くなるようにする。制御装置２７は、注水が所定の水位まで完了した後、モータ２０の運転時間を制御する。
【００３６】
このように、注水ケース３０の壁面部３２に設けられた温度検知部３３により、注水された水の水温が速やかに検知される。温度が高い場合は洗浄性能が良化するが衣類の傷みが発生しやすくなる。よって、運転時間を短くすることにより洗浄性能を維持しながら衣類の傷みを防止して、さらに消費電力量を削減することができる。
【００３７】
温度が低い場合は、洗浄性能が悪化するが衣類の傷みが発生しにくくなる。よって、運転時間を長くすることにより洗浄性能の低下を防止する。
【００３８】
給水開始後、モータ２０を駆動して、洗濯物を洗う。水温に応じた所定時間の洗い時間が経過すると、洗いステップが終了する。
【００３９】
その後、制御装置２７は、排水弁を開放して水槽１３内の洗濯水を排水し、排水終了後、モータ２０を駆動して、脱水を行う。その後、すすぎステップにて再度給水がなされる。給水終了後、水温に応じた所定時間のすすぎ時間が経過すると、すすぎステップが終了する。制御装置２７は、排水弁を開放して、水槽１３内の洗濯水を排水し、排水終了後、モータ２０を駆動して、脱水を行う。以上により洗濯運転が終了する。
【００４０】
上記説明のように、本実施例では、給水する給水弁２８と連通した注水ケース３０を備え、注水ケース３０は壁面部３２にサーミスタ等からなる温度検知部３３を備えたことにより、注水された水道水の水温が速やかに検知されるため、水温に適した運転時間に制御ができ、洗浄性能、衣類の傷みを維持しながら、洗浄性能の低下や衣類の傷みを防止でき、かつ、省エネ性も向上できる。
【産業上の利用可能性】
【００４１】
以上のように、本発明にかかる給水部に温度検知部を有する洗濯機は、簡単な構成で温度検地精度を向上することができる洗濯機として有用である。
【符号の説明】
【００４２】
１１  筐体
１３  水槽
１５  洗濯槽
２５  洗濯物投入取出口
２８  給水弁
３０  注水ケース
３１、３１ａ、３１ｂ  給水入口（給水経路入口）
３２  壁面部
３３  温度検知部
３７  給水経路
４２  凹部（収容部）
４３  給水口
４５  導水路
【図１】
2014210065.tif 000003
【図２】
2014210065.tif 000004
【図３】
2014210065.tif 000005
【図４】
2014210065.tif 000006
【図５】
2014210065.tif 000007
【図６】
2014210065.tif 000008